(57)【要約】【課題】  より使い勝手の良い、書き方練習用教材および書き方練習用教材セットを提供する。【解決手段】  本発明の書き方練習用教材は、ひらがななどの文字や図形の書き方練習に用いられるものであり、その表面１ａおよび裏面１ｂに文字記入部１１ａまたは１１ｂが設けられた薄板１と、当該薄板１を壁面の所定の位置に固定させるための２つの位置固定部材２・２とを備えている。位置固定部材２は、壁面に接着するマグネット板２２と、上記マグネット板２２よりも表面積の大きな支持板２１とが貼り合わされて形成されたものであり、薄板１が重力によって落下することを防止するように当該薄板１を支持し、その位置を固定するというものである。【選択図】  図１
2005212275.tif 000002
【特許請求の範囲】
【請求項１】
文字および／または図形の書き方練習に用いられる書き方練習用教材であって、
その表面および裏面に書き込み部が設けられた薄板と、
当該薄板を壁面の所定の位置に固定させるための位置固定部材とを備え、
上記位置固定部材は、上記薄板とは分離されており、上記薄板が重力によって落下することを防止するようにして上記薄板の位置を固定することを特徴とする書き方練習用教材。
【請求項２】
上記位置固定部材は、マグネットからなる接着部と、薄板支持部とを有しており、
上記接着部に対する薄板支持部の位置は、壁面に接着部を接着させた場合に、薄板支持部と壁面との間に、接着部を底面とする凹部を形成するような位置となっていることを特徴とする請求項１に記載の書き方練習用教材。
【請求項３】
上記接着部および薄板支持部は、それぞれ平板状となっており、
上記位置固定部材は、上記接着部と薄板支持部とが互いに貼り合わせられて形成されているとともに、
上記薄板支持部の表面積は接着部の表面積よりも大きくなっていることを特徴とする請求項２に記載の書き方練習用教材。
【請求項４】
上記位置固定部材は、２つ以上備えられており、
少なくとも一つの位置固定部材は、薄板の落下を防止するように当該薄板の下方を受け止める下方位置固定部材として機能するとともに、
少なくとも一つの位置固定部材は、薄板の上方が壁面から剥離するように倒れ込むことを防止するように、当該薄板の上方を壁面側に留める上方位置固定部材として機能することを特徴とする請求項２または３に記載の書き方練習用教材。
【請求項５】
上記位置固定部材における接着部の厚さは、壁面に接着したときに形成される凹部の間隔が、複数枚の薄板を挟み込む間隔を確保できる厚さとなっていることを特徴とする請求項２ないし４の何れか１項に記載の書き方練習用教材。
【請求項６】
上記書き込み部には、文字を書き込む時に書き込み位置の目安となる文字書き込み枠が記載されており、当該文字書き込み枠の任意の位置には位置確認用の印が複数記載されていることを特徴とする請求項１ないし５の何れか１項に記載の書き方練習用教材。
【請求項７】
上記薄板の表面または裏面の何れかの書き込み部には、上記文字書き込み枠の横方向および／または縦方向の中心位置を示す補助線がさらに記載されていることを特徴とする請求項６に記載の書き方練習用教材。
【請求項８】
上記書き込み部には、手本となるひらがなが予め記載されていることを特徴とする請求項１ないし７の何れか１項に記載の書き方練習用教材。
【請求項９】
文字および／または図形の書き方練習に用いられる書き方練習用教材セットであって、
その表面および裏面に書き込み部が設けられた複数枚の薄板から構成されることを特徴とする教材セット。
【請求項１０】
上記薄板の表面の書き込み部には、手本となるひらがなが予め記載されており、当該表面の反対側の面の書き込み部には、表面に記載されているひらがなに対応するカタカナが記載されていることを特徴とする請求項９に記載の教材セット。
【請求項１１】
上記薄板の表面および裏面には、数字または算術記号が記載されており、算数の教材としても使用されることを特徴とする請求項９に記載の教材セット。
【発明の詳細な説明】
【技術分野】
【０００１】
本発明は、文字の習得および文字の書き方の上達のために利用される、ひらがなや図形の書き方練習用教材、および、書き方練習用教材セットに関するものである。
【背景技術】
【０００２】
幼児あるいは低学年の児童が文字、特にひらがなの書き方を学習する場合、文字を実際に繰り返し書いて練習することが重要となる。幼児や児童がこのような文字の書き方練習を行う際に、ホワイトボード様の書き込み表面を有する文字の書き方練習板が従来から使用されてきた。この練習板に水性ペンなどで文字を記入すれば、布やスポンジなどで容易に拭き取ることができるため、文字の書き方を反復練習する際に好都合である。また、教室などで教師が複数の幼児または児童に文字の指導をする場合には、黒板やホワイトボードに手本となる文字を示して指導する必要があるが、上記の練習板に予め手本となる文字が書き込んでおいたものを利用すれば、多人数の児童あるいは幼児に対して文字の書き方を指導することができ、非常に便利である。
【０００３】
従来、このような文字の書き方の習得や、文字の書き方の指導を行う際に使用される練習板として、例えば、図１０に示すような練習板が使用されてきた。図１０（ａ）に示す練習板５０は、その周囲に、マグネットが裏面に取り付けられた枠５２を有しており、黒板やホワイトボードに接着させて固定することができる。そして、例えばホワイトボードと同じ材質の書き込み部５１に水性ペンで文字を繰り返し書き込んで、文字の反復練習をすることができる。
【０００４】
また、他の練習板の例として、図１０（ｂ）に示す練習板６０を挙げることができる。この練習板６０も、図１０（ａ）に示す練習板５０と同様に、裏面にマグネットが取り付けられた枠６２および文字を書き込むことのできる書き込み部６１が設けられている。そして、この練習板６０には、枠６２以外に吊り下げ用のひも６３がさらに設けられており、マグネットが接着しないような壁面に吊り下げて使用することができるというものである。
【０００５】
これらの練習板を利用すれば、幼児や児童が当該練習板の書き込み部に文字を繰り返し書いては消すという作業を行って、文字の書き方の反復練習を行うことができるとともに、教師が多数の児童あるいは幼児に対して、手本となる文字を示すこともできる。このような裏面にマグネットが取り付けられた練習板の一例としては、例えば非特許文献１に記載のものを挙げることができる。
【０００６】
なお、特許文献１および非特許文献２・３には、上述の練習板とは異なるが、文字の習得や書き方練習に使用される従来の練習用教材が開示されている。これらの教材は何れも机上で練習するためのものであり、多人数の幼児や児童に対して手本として示すことを目的とするものではない。
【特許文献１】特開２００１−０５１５８４（公開日：平成１３年２月２３日）
【特許文献２】特開２０００−０１５９５９（公開日：平成１２年１月１８日）
【非特許文献１】実公昭６３−１２３５９号公報（公開日：昭和５８年７月５日）
【非特許文献２】実登３０７６３１２号
【非特許文献３】実登３０６２９３７号
【発明の開示】
【発明が解決しようとする課題】
【０００７】
しかしながら、これまでに使用されてきた上述の文字の書き方練習板は、書き込み部を取り囲む枠にマグネットが取り付けられているため、重量が大きくなってしまい、持ち運びしにくいという問題点を有している。また、この練習板は、表面には文字を記入することができるが、裏面はホワイトボード状にはなっておらず、また、マグネットも裏面のみにしか取り付けられていないために、裏面を文字の練習に使用できないという使い勝手の悪いものとなっていた。
【０００８】
さらに、記入表面の四辺を取り囲む枠がかさばっているために、文字の書き方練習を行う際に、枠の厚みがじゃまをして手のスムーズな移動が妨げられるという弊害も発生する。また、吊り下げ型の練習板は、黒板やホワイトボードなどにきちんと固定されず不安定な状態となるという欠点も有している。
【０００９】
本発明は上記の問題点に鑑みてなされたものであって、その表面・裏面ともに書き込み部として使用することができるとともに、より使い勝手の良い、書き方練習用教材、および、その表面および裏面の両面を書き込み部として使用することのできる薄板で構成される書き方練習用教材セットを提供することを目的とするものである。
【課題を解決するための手段】
【００１０】
本願発明者は、上記の問題点について鋭意検討した結果、従来は一体型となっていた書き方練習用教材の文字書き込み部と位置固定部とを別々の部材に分離させ、位置固定部材の形状に工夫を施すことによって、書き方練習用教材の利便性を向上させることができることを見出し、本発明を完成させるに至った。
【００１１】
すなわち、本発明にかかる書き方練習用教材は、文字および／または図形の書き方練習に用いられる書き方練習用教材であって、その表面および裏面に書き込み部が設けられた薄板と、当該薄板を壁面の所定の位置に固定させるための位置固定部材とを備え、上記位置固定部材は、上記薄板とは分離されており、上記薄板が重力によって落下することを防止するようにして上記薄板の位置を固定することを特徴とするものである。
【００１２】
上記の構成によれば、薄板と位置固定部材とが分離されていることによって、薄板の表面と裏面の両方を文字書き込み部として利用することができるとともに、薄板の体積および重量を小さくすることができる。それゆえ、当該練習用教材を持ち運びし易くすることができ、その利便性を高めることができる。また、本発明の書き方練習用教材は、従来から文字などの書き方指導に利用されてきた水文字による練習板と比較して、準備に手間がかからず、手軽に利用することができるという利点も有している。
【００１３】
また、幼児が文字の書き方を学習する際には、ひらがななどの文字の書き方の練習を始める前に、線書きの練習から始め、続いて簡単な図形の練習を行うことが好ましい。それゆえ、本発明の書き方練習用教材は、文字だけでなく、線書きの練習や図形の書き方練習に使用することもできる。なお、本明細書において「図形の書き方練習」には、「線書きの練習」も含まれるものとする。
【００１４】
本発明にかかる書き方練習用教材において、上記位置固定部材は、マグネットからなる接着部と、薄板支持部とを有しており、上記接着部に対する薄板支持部の位置は、壁面に接着部を接着させた場合に、薄板支持部と壁面との間に、接着部を底面とする凹部を形成するような位置となっていることが好ましい。
【００１５】
ここで、上記「底面」とは、凹状のくぼみ（すなわち、凹部）のまさしく底の部分のことを意味する。上記の構成によれば、上記凹部に薄板の端部を挿入させることによって薄板を壁面の任意の位置に固定することができる。
【００１６】
本発明にかかる書き方練習用教材において、上記接着部および薄板支持部は、それぞれ平板状となっており、上記位置固定部材は、上記接着部と薄板支持部とが互いに貼り合わせられて形成されているとともに、上記薄板支持部の表面積は接着部の表面積よりも大きくなっていることが好ましい。
【００１７】
上記の構成によれば、位置固定部材によって薄板支持部と壁面との間に接着部を底面とする凹部を形成することができる。そして、この凹部に薄板の上端部と下端部を挿入させることによって薄板を壁面の任意の位置に確実に固定することができる。
【００１８】
また、本発明にかかる書き方練習用教材において、上記位置固定部材は、２つ以上備えられており、少なくとも一つの位置固定部材は、薄板の落下を防止するように当該薄板の下方を受け止める下方位置固定部材として機能するとともに、少なくとも一つの位置固定部材は、薄板の上方が壁面から剥離するように倒れ込むことを防止するように、当該薄板の上方を壁面側に留める上方位置固定部材として機能することが好ましい。
【００１９】
上記の構成によれば、薄板の上部と下部の少なくとも２箇所に位置固定部材を配置し、薄板を固定することができる。この場合、上記薄板は、薄板支持部と壁面との間に挟み込まれた状態となるため、薄板を壁面に沿うようにしてスライドさせながら自由に出し入れすることも可能となる。さらに、薄板を上記位置固定部材を用いて数枚程度重ねて配置することもできる。
【００２０】
本発明にかかる書き方練習用教材において、上記位置固定部材における接着部の厚さは、壁面に接着したときに形成される凹部の間隔が、複数枚の薄板を挟み込む間隔を確保できる厚さとなっていてもよい。
【００２１】
上記の構成によれば、複数枚の薄板を重ねて位置固定部材によって固定し、使用後の薄板を一枚ずつ順次取り外していくこともできる。ここで、上記凹部の間隔とは、壁面と薄板支持部との間の距離のことを意味する。
【００２２】
本発明にかかる書き方練習用教材において、上記書き込み部には、文字を書き込む時に書き込み位置の目安となる文字書き込み枠が記載されており、当該文字書き込み枠の任意の位置には位置確認用の印が複数記載されていることが好ましい。
【００２３】
上記の構成によれば、手本を用いて文字の書き方練習を行う時に、文字の模範的な形状を把握し易くすることができるとともに、文字の書き出し位置や止め位置などを正確に把握することができる。つまり、上記文字書き込み枠や位置確認用の印は、文字の書き方を上達させるのに有効である。なお、上記位置確認用の印のうち、任意２つを直線で結んで示すことによって、低年齢の幼児に対してもわかりやすく教えることができる。
【００２４】
本発明にかかる書き方練習用教材において、上記薄板の表面または裏面の何れかの書き込み部には、上記文字書き込み枠の横方向および／または縦方向の中心位置を示す補助線がさらに記載されていることが好ましい。
【００２５】
上記の構成によれば、上述の文字書き込み枠や位置確認用の印と同様に、模範的な文字の形状を正確に把握することができる。つまり、上記補助線は文字の書き方練習を行う上で有用である。
【００２６】
本発明にかかる書き方練習用教材において、上記書き込み部には、手本となるひらがなが予め記載されていることが好ましい。
【００２７】
教室などで教師が複数の幼児または児童に文字の指導をする場合には、黒板やホワイトボードに手本となる文字を示して指導する必要がある。上記のように、予め手本となる文字が書き込まれたたものを利用すれば、多人数の児童あるいは幼児に対して文字の書き方を容易に指導することができ、非常に便利である。
【００２８】
また、本発明にかかる教材セットは、文字および／または図形の書き方練習に用いられる書き方練習用教材セットであって、その表面および裏面に書き込み部が設けられた複数枚の薄板から構成されることを特徴とするものである。
【００２９】
上記の教材セットは、薄板の表面と裏面の両方を文字書き込み部として利用することができるため、利便性が高い。
【００３０】
本発明の教材セットにおいて、上記薄板の表面の書き込み部には、手本となるひらがなが予め記載されており、当該表面の反対側の面の書き込み部には、表面に記載されているひらがなに対応するカタカナが記載されていることが好ましい。上記の教材セットは、幼児や児童がひらがななどの文字の習得および書き方練習を行う場合に、使い勝手が良く、容易に使い方を覚えることができるため、有効に利用することができる。
【００３１】
本発明の教材セットにおいて、上記薄板の表面および裏面には、数字または算術記号が記載されており、当該教材セットは、算数の教材としても使用されるものであってもよい。上記の教材セットは、幼児や児童が簡単な計算の練習を行う場合に、使い勝手が良く、容易に使い方を覚えることができるため、有効に利用することができる。また、フラッシュカードとしても使用できる。
【発明の効果】
【００３２】
以上のように、本発明の書き方練習用教材によれば、薄板と位置固定部材とが分離されていることによって、薄板の表面と裏面の両方を文字書き込み部として利用することができるとともに、薄板の体積および重量を小さくすることができる。それゆえ、当該練習用教材を持ち運びし易くすることができ、その利便性を高めることができる。
【００３３】
また、本発明の教材セットによれば、薄板の表面と裏面の両方を文字書き込み部として利用することができるため、利便性が高く、ひらがなの習得や算数の学習などに有効に利用することができる。
【発明を実施するための最良の形態】
【００３４】
〔実施の形態１〕
本発明の実施形態１について図１ないし図３、図８に基づいて説明すると以下の通りである。なお、本発明はこの記載に限定されるものではない。
【００３５】
図１（ａ）には、本実施の形態にかかる書き方練習用教材１０の構成を示す。この書き方練習用教材１０は、文字および／または図形の書き方練習に用いられる書き方練習用教材であって、その表面１ａおよび裏面１ｂ（図示せず）に文字練習を行うための文字記入部（書き込み部）１１ａ・１１ｂ（１１ｂは裏面１ｂに設けられた文字記入部であるため、図示せず）が設けられた薄板１と、当該薄板１を黒板、ホワイトボードなどの壁面の所定の位置に固定させるための２つの位置固定部材２・２とから構成されている。
【００３６】
図１（ｂ）には、上記書き方練習用教材１０がホワイトボードあるいは黒板などのような壁面３に固定された状態を示す断面図である。図１（ｂ）に示すように、書き方練習用教材１０の薄板１は、その上部および下部に配置された２つの位置固定部材２・２に挟み込まれるようにして配置されて固定されている。このように、上記位置固定部材２・２は、薄板１とは分離された状態の部材である。
【００３７】
本実施の形態にかかる書き方練習用教材１０は、上述のように、位置固定部材２と薄板１とが分離した状態であるため、薄板１をひっくり返した状態、すなわち、薄板１の裏面１ｂを表側に向けた状態でも薄板１を壁面３に固定することができる。それゆえ、上記書き方練習用教材１０は、薄板１の表面１ａおよび裏面１ｂの両方を文字の書き方練習に使用することができる。
【００３８】
また、上記書き方練習用教材１０において、上記位置固定部材２は、当該薄板１が重力によって落下することを防止するように設けられている。つまり、上記薄板１は、その下部に設けられた位置固定部材２に支持され、かつ、壁面３と位置固定部材２との間に挟み込まれることで、下方へ落下することを免れている。さらに、上記薄板１の上端部についても、壁面３と位置固定部材２との間に挟み込まれることで、その位置が固定されている。この位置固定部材２の具体的な形状については後述する通りである。
【００３９】
薄板１には、上記文字記入部１１ａ・１１ｂを明示し、文字を書き込む時の書き込み位置の目安となる文字書き込み枠１１が記載されている。さらに、上記薄板１には、この文字書き込み枠１１に沿って、文字書き込み枠の四辺をそれぞれ１０等分するような位置確認マーク（位置確認用の印）１３・１４が複数個記載されている。この位置確認マーク１３・１４が記載されていることによって、ひらがななどの文字の書き方練習を手本と見比べながら行う際に、文字の形や正しい記入位置を容易に把握することができるため、書き方の上達を早めることができる。
【００４０】
なお、本実施の形態にかかる書き方練習用教材においては、上記位置確認マーク１３・１４が、文字書き込み枠１１を１０等分するように各辺に９個ずつ記載されているが、本発明にかかる書き方練習用教材は、これに限定されるものではない。上記位置確認マーク１３・１４は、文字の習得および書き方の上達を図るべく文字の形状を把握するために望ましい任意の数に設定することができる。
【００４１】
図１（ａ）に示す書き方練習用教材１０は、その表面１ａ側のみしか示されていないが、図２（ｂ）、（ｃ）に示すように、裏面１ｂについても同様の文字記入部１１ｂが設けられている。図２（ａ）〜（ｃ）には、書き方練習用教材６０の薄板１の表面１ａあるいは裏面１ｂの例を示す。なお、図２（ａ）は薄板１の表面１ａの一例を示しており、図２（ｂ）は薄板１の裏面１ｂの一例を示している。また、図２（ｃ）は薄板１の裏面１ｂの他の例を示している。
【００４２】
図２（ａ）に示すように、上記薄板１は、その表面１ａには、文字書き込み枠１１と複数個の位置確認マーク１３・１４が記載されている。一方、上記薄板１の裏面１ｂには、図２（ｂ）に示すように、文字書き込み枠１１の横方向の中心位置を示す補助線１２が文字書き込み枠１１の縦方向に記載されている。またあるいは、上記薄板１の裏面１ｂには、図２（ｃ）に示すように、文字書き込み枠１１の横および縦方向の中心位置を示す２本の補助線１２・１２が文字書き込み枠１１の縦および横方向に記載されている。そして、図示はしていないが、上記補助線は、文字書き込み枠の縦方向の中心位置を示すように当該文字書き込み枠の横方向に記載されていてもよい。幼児や児童が文字の習得を行う初期の段階、すなわち、文字の形状を認識して習得するという段階において、上記補助線は文字の形状を把握し易くするのに役立つ。
【００４３】
なお、上記薄板１において、表面１ａおよび裏面１ｂに記載されている補助線１２の有無の上述のような組み合わせについては、あくまでも一例であり、本発明はこれに限定されることなく、あらゆる組み合わせを採用することができる。
【００４４】
幼児や児童がひらがなやカタカナなどの書き方練習をする場合には、先ず、文字の形状を習得し、その後、その書き方を上達させるという段階を経て、最終的に形状の美しい文字を書くことができるようになることが望まれる。それゆえ、書き方練習の初期の段階では、補助線が記載された文字記入面で書き方練習を行い、練習の後期の段階では、補助線の記載されていない文字記入面で書き方練習を行うことになる。
【００４５】
そこで、薄板１の表面１ａおよび裏面１ｂのうちの少なくとも何れかには補助線の全く記載されていないもの（図２（ａ）に示すもの）を採用し、その反対側の面には、縦方向の補助線のみが記載されているもの（図２（ｂ）に示すもの）、あるいは、縦方向および横方向の補助線が記載されているもの（図２（ｃ）に示すもの）を採用することが好ましい。
【００４６】
なお、上記補助線は、文字書き込み枠の横方向および縦方向に複数本記載されており、格子模様を形成していてもよいが、ひらがななどの文字の書き方練習を行う場合には、縦および／または横の中心位置がわかるように、一本の補助線のみが記載されている方がより好ましい。
【００４７】
薄板１の素材としては、従来の書き方練習板または記入用として用いられるホワイトボードの素材と同様のものを用いることができる。また、具体的な素材としては、ポリプロピレン、ポリエチレン、塩化ビニル樹脂などのプラスチックを挙げることができる。そして、薄板１は、水性ペンなどの筆記具で記入した際に、布やスポンジなどで容易に消すことができるように、その表面が摩擦の少ない滑らかな状態に加工されていることが好ましい。なお、薄板の表面を滑らかな状態に加工する方法として、ほうろう加工を採用してもよい。
【００４８】
薄板１の形状は、文字の練習に用いられることから、正方形、または、長方形であることが好ましい。そして、上記薄板１は、かさばらず、軽量であることが好ましい。それゆえ、その厚さは、０．５ｍｍ以下とすることが好ましい。なお、厚さの下限は、薄板１の強度を保ち、加工可能な程度であれば特に限定されることはない。
【００４９】
また、上記薄板１の大きさは、黒板やホワイトボードなどに貼り付けて多人数の生徒を対象に指導を行う場合には、一辺が２５０ｍｍ〜３５０ｍｍ程度であることが好ましい。また、机上で各個人が練習を行う際には、机上に複数枚配置することができるような大きさであることが好ましい。その大きさの例としては、一辺が１００ｍｍ〜１５０ｍｍ程度である。また、文字書き込み枠１１は、薄板１の表面１ａ（または裏面１ｂ）の各端部から５ｍｍ〜１０ｍｍ程度の位置に記載されていればよい。
【００５０】
次に、位置固定部材２の形状について図３を用いて説明する。図３（ａ）および（ｂ）は、位置固定部材２の斜視図である。なお、図３（ａ）は、上記位置固定部材２をマグネット板２２側（裏面２ｂ側）から見た図であり、図３（ｂ）は、上記位置固定部材２を支持板２１側（表面２ａ側）から見た図である。
【００５１】
図３（ａ）に示すように、位置固定部材２は、ホワイトボードや黒板などのような磁石の接着する素材で形成された壁面と接着する板状のマグネット板（接着部）２２と、上記マグネット板２２よりも表面積の大きな板状の支持板（薄板支持部）２１とが貼り合わされて形成されている。具体的には、マグネット板２２および支持板２１は、その長手方向の大きさｃがほぼ等しい長方形の板状の形状をなしている。そして、マグネット板２２および支持板２１の短手方向の各大きさａ、ｂに関しては、支持板２１の大きさａの方がマグネット板２２の大きさｂに比べて大きくなっている。
【００５２】
位置固定部材２は、上述のような形状をなしていることによって、壁面３に接着させた場合に、支持板２１と壁面３との間に、マグネット板２２を底面とする凹部を形成することができる。そして、この凹部に薄板１の上端部および下端部を挿入することで、壁面３の所定の位置に薄板１を固定することができる。このように、位置固定部材２は、書き方練習用教材１０使用時には、薄板１の上部および下部に少なくとも１個ずつ配置して用いればよい。
【００５３】
ここで、薄板１の上部に配置される位置固定部材２については、「上方位置固定部材」と呼ぶこともでき、薄板１の下部に配置される位置固定部材２については、「下方位置固定部材」と呼ぶこともできる。上記「上方位置固定部材」は、薄板１の上方が壁面３から剥離するように倒れ込むことを防止して、当該薄板１の上方を壁面３側に留めるという機能を果たす。また、上記「下方位置固定部材」は、薄板１の落下を防止するように当該薄板１の下方を受け止めるという機能を果たす。本発明にかかる書き方練習用教材には、上記上方位置固定部材および下方位置固定部材が少なくとも１個ずつ備えられていればよい。
【００５４】
この支持板２１の素材は、特に限定はされないが、薄板が落下することを防止することができ、その位置を固定することができる程度の強度を有するものであることが好ましい。この素材としては、例えばプラスチックなどを挙げることができる。
【００５５】
上記位置固定部材２の長手方向の長さｃは、薄板１の大きさに応じて適宜決めればよく、特に限定はされない。上記薄板１として、３００ｍｍ×３００ｍｍ四方程度の大きさのものを用いる場合には、長さｃは９０ｍｍ〜１５０ｍｍ程度であればよい。また、支持板２１およびマグネット板２２の短手方向の各長さａ・ｂについても、壁面３に対して確実に接着し、かつ、薄板１の位置を確実に固定できるような大きさであれば、特に限定されることはない。しかしながら、薄板１を確実に固定するためには、長さａと長さｂとの差が８ｍｍ以上あることが望ましい。なお、薄板１として３００ｍｍ×３００ｍｍ程度の大きさのものを用いる場合には、長さａは３０ｍｍ程度、長さｂは２０ｍｍ程度であればよい。
【００５６】
また、マグネット板２２の板の厚さについても、特に限定されることはなく、支持板２１と壁面３との間に薄板１を挟み込むことができる程度に大きく、かつ、薄板１を配置して文字の書き方練習を行う場合に、薄板１の位置が変動して練習に支障を与えない程度に小さく設定されていればよい。
【００５７】
上記のような位置固定部材２・２を壁面３の所定の位置に配置し、薄板１をその上端部と下端部とにおいて支持できるような凹部を形成することで、薄板１を壁面３に沿うようにしてスライドさせながら自由に出し入れすることもできる。なお、マグネット板２２の厚さを、薄板１を数枚程度重ねて配置することができる程度の厚さに設定しておけば、複数枚の薄板１を重ねて位置固定部材２によって固定し、使用後の薄板１を一枚ずつ順次取り外していくこともできる。このように、複数枚の薄板１を位置固定部材２によって壁面３に固定することができるようにするためには、上記位置固定部材２におけるマグネット板２２の厚さは、壁面３に接着したときに形成される凹部の間隔が、複数枚の薄板を挟み込む間隔を確保できる厚さとなっていることが好ましい。
【００５８】
本実施の形態で説明している位置固定部材２の形状については、あくまでも本発明の一例であり、これに限定されることはない。本発明の書き方練習用教材に含まれる位置固定部材としては、薄板がその重力によって落下することを防止するような構成のものであれば、どのようなものでもよい。本実施の形態で説明した位置固定部材２以外の位置固定部材としては、例えば、従来公知の円形または棒状のマグネットなどを挙げることができる。このような円形または棒状のマグネットを用いる場合は、当該マグネットと壁面との間に薄板を挟み込んだ状態でマグネットを壁面に接着させればよい。
【００５９】
本実施の形態にかかる書き方練習用教材１０は、例えば幼稚園や小学校などで教師がひらがななどの書き方指導を行う場合に、ホワイトボードや黒板などのような壁面に固定して、手本となる文字を薄板１の文字記入部１１ａ（または１１ｂ）に書き込んで幼児や児童に対して示すことができる。また、ホワイトボードや黒板などのような壁面に２つの書き方練習用教材を横に並べて配置し、そのうちの一枚には手本となる文字を予め記載しておき、その隣の書き方練習用教材に、幼児または児童が文字を書き込んで練習するということもできる。
【００６０】
このように、幼児や児童に対してひらがななどの書き方指導を行う場合には、手本となる文字を示すことが望ましい。それゆえ、本実施の形態にかかる書き方練習用教材１０には、上記文字記入部１１ａ（または１１ｂ）に、手本となるひらがなが予め記載されていることが好ましい。そしてさらに、手本として記載されているひらがなは、その一画一画が書き順ごとに色分けして示されていることがより好ましい。
【００６１】
なお、幼児が文字の書き方を学習する際には、ひらがななどの文字の書き方の練習を始める前に、線書き（図形）の練習から始めることが好ましい。それゆえ、本実施の形態にかかる書き方練習用教材１０は、文字だけでなく、線書きの練習に使用してもよい。練習する線書きの形状としては、例えば図８に記載のものを挙げることができる。
【００６２】
〔実施の形態２〕
続いて、本発明の実施形態２について図４、図６、図７に基づいて説明すると以下の通りである。なお、本発明はこの記載に限定されるものではない。
【００６３】
本実施の形態では、文字および／または図形の書き方練習や書き方指導に用いられる書き方練習用教材セットについて説明する。本実施の形態にかかる練習用教材セットは、複数の薄板から構成されるものであり、当該薄板の表面および裏面に文字記入部（書き込み部）が設けられているというものである。ここでは特に、ひらがなの習得および書き方練習のために利用される教材セットについて説明する。
【００６４】
図４（ａ）および（ｂ）には、上記教材セットを構成している薄板の一つの例を示す。なお、本実施の形態で説明する薄板は、上述の実施の形態１にかかる書き方練習用教材１０を構成する薄板１と同様のものを用いることができるため、同じ機能を有する部材については、便宜上同じ部材番号を付すとともに、その説明を省略する。
【００６５】
図４（ａ）および（ｂ）には、本実施の形態にかかる教材セットを構成している薄板のうちの一枚を示す。この図に示される薄板１には、ひらがなの「ふ」が記載されているが、これはあくまでも薄板の一例を示すものであり、これに限定されることはない。
【００６６】
本実施の形態にかかる教材セットは、特に、幼児や児童のひらがなの習得のために利用されるため、机上に複数枚並べて使用できるような大きさであることが好ましい。その大きさの例としては、薄板１の各辺が１００ｍｍ〜１５０ｍｍ程度である。また、文字書き込み枠１１は、薄板１の表面１ａ（または裏面１ｂ）の各端部から５ｍｍ〜１０ｍｍ程度の位置に記載されていればよい。つまり、文字書き込み枠１１は、一辺が８０ｍｍ〜１３０ｍｍ程度であればよい。
【００６７】
また、本実施の形態の教材セットは、ひらがなの習得および書き方練習に使用されるものであるため、当該教材セットを構成している薄板１としては、全ひらがな４６文字がそれぞれ記載されている４６枚の薄板１が含まれていることが好ましい。このように予めひらがなが記載されている薄板１は、ひらがなの習得および書き方練習を行う場合に、手本として用いることができる。手本文字としては、幼児といえども教科書体の手書き文字を採用することが好ましい。
【００６８】
また、上記教材セットは、書き方練習用に用いられるものであることから、それを構成する複数の薄板１のうちには、文字が記載されていないもの（すなわち、書き込み枠１１および位置確認マーク１３・１４のみが記載されているもの）が少なくとも一枚含まれていることが好ましい。なお、本実施の形態の教材セットを構成する薄板１にも、上述の実施の形態１にかかる書き方練習用教材１０の薄板１に記載されているような補助線１２が記載されていてもよい。
【００６９】
また、上記教材セットを構成している薄板１は、上述の実施の形態１において説明した薄板１と同様に、その表面１ａだけでなく裏面１ｂにも文字記入部１１ｂ（書き込み部）が設けられている。そして、上記教材セットをカタカナの習得のためにも使用できるように、手本となるひらがなが記載されている薄板１については、その裏面の文字記入部１１ｂに、表面に記載されているひらがなに対応するカタカナが記載されていることが好ましい。これにより、上記教材セットの利用範囲を広げ、より便利なものとすることができる。
【００７０】
図４（ａ）および（ｂ）には、一枚の薄板１における表面１ａと裏面１ｂとの組み合わせの一例を示している。図４（ｂ）は、図４（ａ）に示す薄板１の裏面の状態を示している。
【００７１】
また、図４（ａ）および（ｂ）に示す薄板１に記載されている文字は、その書き順を把握しやすいように、その一画一画が書き順ごとに色分けして示されていることがより好ましい。ひらがなの画数は、最大４画であるため、わずか４種類の色を用いるのみでその画数を区別することができる。このように、色分けして示すことで、幼児であっても容易に書き順を把握することができる。
【００７２】
例えば、ひらがなの「ふ」の場合であれば、その画数は４画であり、図４（ａ）に示すように、左上の丸数字「１」〜「４」を、順に赤（ａ）、青（ｂ）、緑（ｃ）、黒（ｄ）で示すとともに、手本として記載されているひらがな「ふ」の一画一画を該当する書き順の色（ａ〜ｄ）でそれぞれ示す。このように書き順を色分けして示すことで、一目で確認することができるため、低年齢の子供であっても書き順を容易に認識することが可能となる。なお、裏面１ｂに記載されているカタカナの「フ」についても、表面１ａと同様にして、その書き順を色分けして示すことが好ましい。
【００７３】
さらに、手本となるひらがなの記載されている薄板１の表面１ａには、その文字書き込み枠１１の外に、全部で４６枚ある全ひらがなの薄板１を所定の規則に従って並べ替えることができるように、番号が記載されていることが好ましい。
【００７４】
例えば、図４（ａ）に示すひらがな「ふ」が記載されている薄板１の場合には、その右上に「Ｎｏ．２８」（１５）と記載されている。この番号は、ひらがなを五十音順に並べて、「あ」から順に「１」から番号を付した場合に該当する番号である（図６の表参照）。また、薄板１の左上には、「Ｎｏ．４６」（１６）と記載されている。この番号は、ひらがなをその画数の少ない順に並べ、画数が一画のものから順に任意に番号付した場合に該当する番号である。このように並べ替えた一例を図７の表に示す。
【００７５】
幼児や児童に対してひらがなの習得および書き方練習を行う場合には、その画数の少ない順あるいは五十音順に練習を行うことが多い。それゆえ、上述のように薄板１の右上には五十音順の番号が付され、左上には画数順の番号が付されていることによって、使用者が容易にひらがなの付された薄板１を練習順に並べ替えることができる。
【００７６】
なお、この並べ替えのための番号が付される位置については、上述の記載に限定されることなく、手本として記載されているひらがなのじゃまにならない場所を適宜選択することができる。
【００７７】
上記教材セットを構成する薄板１の材質は、上述の実施の形態１における薄板１と同様に、水性ペンなどで表面に記載した文字を、布やスポンジなどで容易に消すことのできるものであることが好ましい。この材質の例として、従来公知のホワイトボード表面の材質と同じものが挙げられる。また、より具体的な素材として、ポリプロピレン、ポリエチレン、塩化ビニル樹脂などのプラスチックなどを挙げることができる。
【００７８】
なお、上記教材セットには、水性ペンなどの書き込み用具がさらに含まれていることが、その使用目的上好ましい。さらに、上記教材セットには、書き込んだ文字を容易に消すことのできる布あるいはスポンジなどを含んで構成された拭き取り部材などが含まれていることがより好ましい。
【００７９】
また、上記薄板１に記載されている文字は、ひらがな、カタカナに限定されることなく、例えば、アルファベットなどを記載したセットとしてもよい。但し、どのような文字が記載されている場合であっても、使用者が書き方練習をするために、文字の記載されていない薄板が少なくとも一枚含まれていることが好ましい。
【００８０】
〔実施の形態３〕
続いて、本発明の実施形態３について図５に基づいて説明すると以下の通りである。なお、本発明はこの記載に限定されるものではない。
【００８１】
本実施の形態では、上述の実施の形態２で説明した教材セットを、算数の学習に利用する場合について説明する。つまり、本実施の形態にかかる教材セットは、上述の実施の形態２において説明した薄板１から構成される教材セットであって、その表面１ａおよび／または裏面１ｂに、数字または算術記号が記載されており、算数の教材として使用されるものである。
【００８２】
図５（ａ）〜（ｆ）には、本実施の形態にかかる教材セットを構成する薄板の例を示す。図５（ａ）および（ｂ）、数字が記載された薄板１を示すものであり、（ａ）にはその表面１ａを、（ｂ）にはその裏面１ｂを示す。図５（ｃ）および（ｄ）は、算術記号の一種である「＋」、「−」が記載された薄板１を示すものであり、（ｃ）にはその表面１ａを、（ｄ）にはその裏面１ｂを示す。図５（ｅ）および（ｆ）もまた、算術記号の一種である「＝」が記載された薄板１を示すものであり、（ｅ）にはその表面１ａを、（ｆ）にはその裏面１ｂを示す。
【００８３】
上記教材セットが幼児あるいは小学校低学年の児童を対象としたものである場合には、上記薄板１には、少なくとも「０」〜「１０」までの数字と、「＋」、「−」、「＝」などの算術記号が記載されたものがあればよい。
【００８４】
そして、上記教材には、最低限必要な薄板として、「０」〜「１０」までの数字がそれぞれ記載された薄板、「＋」、「−」、「＝」がそれぞれ記載された薄板、および、記号および数字が記載されていない書き込み用の薄板が含まれていることが好ましい。この場合、教材セットに含まれる薄板の枚数をできるだけ少なくするために、薄板１の表面１ａおよび裏面１ｂのそれぞれに数字あるいは記号が記載されていることが好ましい。また、上記教材セットを構成する薄板には、数字または算術記号が記載されたもの以外に、使用者が書き込むことができるような数字または算術記号が記載されていないものも含まれていることが好ましい。また、数字の裏面には、数を確認できるように、具体物（動物、果物、記号など）が該当する個数だけ記載されていることが好ましい。
【００８５】
そして、上記薄板の表面および裏面に記載される数字の組み合わせとして、表面と裏面に記載されている数字が異なるものであることが好ましい。例えば、図５（ａ）、（ｂ）に示すように、表面が「１」の場合は、裏面は「９」というように、表面の数字と裏面の数字とを足した値が「１０」となるような組み合わせにすればよい。これによれば、「０」と「１０」、「１」と「９」、「２」と「８」、「３」と「７」、「４」と「６」、「５」と「５」の６種類の組み合わせの薄板がそれぞれ２枚（合計１２枚）存在すれば、「０」〜「１０」までの各数字の足し算・引き算の練習を行うことができる。そして、これに加え、図５（ｃ）（ｄ）に示す組み合わせの薄板が一枚、図５（ｅ）（ｆ）に示す組み合わせの薄板が一枚、および、表面裏面ともに記号あるいは数字の記載されていない薄板が一枚、という以上の３枚が備えられていれば、算数用の教材セットとして有効利用することができる。
【００８６】
すなわち、本実施の形態にかかる算数用の教材セットは、上述の１５枚の薄板によって構成されていることが好ましい。なお、本発明の算数用の教材セットにおいて、薄板１にの表面１ａおよび裏面１ｂに記載された数字あるいは記号に関する上述の組み合わせについては、あくまでも一例であり、本発明はこれに限定されることなく、あらゆる組み合わせを採用することができる。また、図５（ａ）〜（ｆ）に示す薄板においては、位置確認マークが記載されていないが、位置確認マークが記載されている薄板（例えば図１に示すような薄板）を用いてもよい。
【００８７】
〔変形例〕
続いて、本発明の変形例について以下に説明する。ここでは、書道練習に利用される毛筆用手本教材について図９を用いて説明する。
【００８８】
図９（ａ）および（ｃ）は、本変形例にかかる毛筆用手本教材２０の平面図である。なお、図９（ａ）は毛筆用手本教材２０の表面２０ａを示しており、図９（ｃ）は毛筆用手本教材２０の裏面２０ｂを示している。
【００８９】
図９に示すように、この毛筆用手本教材２０は、例えば書道半紙と同様の四角形状の薄板からなるものであって、その表面２０ａ・裏面２０ｂともに同一の手本文字が記載されている。一方、裏面２０ｂには、各文字について、その形状や配置を把握し易くするために、碁盤目状の図柄（格子模様）２１・２２が背景として記載されており、当該背景の上面に手本文字が記載されている。なお、図９に示す手本文字（「成長」）はあくまでも本発明の一例であり、用途に応じて種々の手本文字を選択すればよい。上記毛筆用手本教材２０は、従来から手本として使用されている教材と同様に、書道練習時に手本教材を練習用の半紙の横に置いて見本として使用することができる。
【００９０】
さらに、上記毛筆用手本教材２０は、薄板の表面全体（表面２０ａおよび裏面２０ｂを含む）がプラスチックフィルム２３によってラミネート加工されている。これによって、従来の紙の手本と比較して、汚れが付着した場合に容易に拭き取ることができるとともに、その強度を増すことができる。それゆえ、繰り返し何度も使用することができる。また、このようにラミネート加工されていることによって、保管や整理もし易くなり、利便性を向上させることができる。さらに、上記毛筆用手本教材２０は、表面全体がラミネート加工されているため、手本と練習用の半紙とを並べて配置し、手本を見ながら隣の半紙に文字の記入を行うという従来からの練習方法の他に、当該手本教材２０を半紙の下に敷いて、当該半紙上に映し出される手本文字をなぞることによって毛筆の練習を行うという、写し書きの練習にも使用することができる。
【００９１】
なお、特許文献１には、用紙（和紙）の上から手本文字をなぞることによって書道の練習を行う習字練習用紙が開示されている。しかしながら、この文献１に記載の練習用紙は、本発明の手本教材２０とは異なり、表面がラミネート加工されていないため、繰り返し何度も使用することはできない。
【００９２】
以上のように、本発明の毛筆用手本教材２０は、書道の練習に用いられ、その表面および裏面に手本文字が記載された薄板からなる手本用教材であって、上記薄板の表面および裏面には同一の手本文字が記載されいるとともに、上記表面または裏面の何れかの手本文字は格子模様の背景上に記載されており、さらに、上記薄板は全体がラミネート加工されていることを特徴とするものである。
【００９３】
また、図９（ｂ）には、図９（ａ）に示す毛筆用手本教材２０の表面２０ａを手本として使用した場合に、文字練習に使用される書道半紙３０の一例を示す。この書道半紙３０は、通常の書道の練習に用いられる半紙であり、広く一般に市販されているものを用いればいよい。
【００９４】
一方、図９（ｄ）に示す書道半紙４０は、図９（ｃ）に示す毛筆用手本教材の裏面２０ｂを手本として使用した場合に、書き込み用の半紙として好適に使用される書道半紙である。この図に示すように、書道半紙４０には、手本教材２０の裏面２０ｂに記載されているのと同じサイズ・同じ形状の碁盤目状の図柄（格子模様）４１・４２が予め記載されている。そのため、幼児や児童などが書道の練習を行う場合に文字の正しい形状を把握し易く、文字の習得および書き方の上達を目的とした場合に大変有用である。
【００９５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９６】
本発明の書き方練習用教材、および、書き方練習用教材セットは、幼児や児童が文字の習得および書き方練習を行う場合に非常に有用であり、幼児教育および児童教育の分野において高い利用可能性を有する。
【図面の簡単な説明】
【００９７】
【図１】（ａ）は、本発明の一実施の形態にかかる書き方練習用教材の構成を示す平面図である。（ｂ）は、（ａ）に示す書き方練習用教材がホワイトボードなどの壁面に固定された状態を示す断面図である。
【図２】（ａ）は、図１に示す書き方練習用教材の薄板の表面側の一例を示す平面図である。（ｂ）は、図１に示す書き方練習用教材の薄板の裏面側の一例を示す平面図である。（ｃ）は、図１に示す書き方練習用教材の薄板の裏面側の他の例を示す平面図である。
【図３】（ａ）および（ｂ）は、図１に示す書き方練習用教材を構成する位置固定部材の形状を示す斜視図である。
【図４】（ａ）および（ｂ）は、本発明の一実施の形態にかかる書き方練習用教材セットを構成する薄板の一例を示す平面図である。なお、（ａ）は薄板の表面を示すものであり、（ｂ）はその裏面を示すものである。
【図５】（ａ）〜（ｆ）は、本発明の一実施の形態にかかる算数用教材セットを構成する薄板の例を示す平面図である。
【図６】全ひらがなを五十音順に並べた表であり、各ひらがなに番号を付したものである。
【図７】全ひらがなを画数の少ない順に並べた表の一例であり、各ひらがなに番号を付したものである。
【図８】幼児などが線書き練習を行う場合の線の形状の例を示す図である。
【図９】（ａ）および（ｃ）は、本発明の変形例であって、毛筆練習において用いられる手本教材の一例を示す平面図である。また、（ｂ）および（ｄ）はそれぞれ（ａ）または（ｃ）に示す手本教材を手本として用いた場合に使用される書道用半紙を示す平面図である。
【図１０】（ａ）および（ｂ）は、従来の文字の書き方練習板の例を示す模式図である。
【符号の説明】
【００９８】
１    薄板
１ａ  表面
１ｂ  裏面
２    位置固定部材（上方位置固定部材・下方位置固定部材・位置固定部材）
３    ホワイトボードまたは黒板（壁面）
１０    書き方練習用教材
１１    文字書き込み枠
１１ａ  文字記入部（書き込み部）
１１ｂ  文字記入部（書き込み部）
１２    補助線
１３    位置確認マーク（位置確認用の印）
１４    位置確認マーク（位置確認用の印）
２１    支持板（薄板支持部）
２２    マグネット板（接着部）
【図１】
2005212275.tif 000003
【図２】
2005212275.tif 000004
【図３】
2005212275.tif 000005
【図４】
2005212275.tif 000006
【図５】
2005212275.tif 000007
【図６】
2005212275.tif 000008
【図７】
2005212275.tif 000009
【図８】
2005212275.tif 000010
【図９】
2005212275.tif 000011
【図１０】
2005212275.tif 000012